(57)【要約】【課題】鉄道会社の本社等の中央において一元的に集計処理ができるようにする。【解決手段】所定の場所に設置されている駅務機器で発生した所定の集計処理に必要なデータを記憶する、その場所に設置されたサブデータ処理機と、そのサブデータ処理機に記憶されているデータを読取って所定の集計処理を行う、所定の中央に設けられたメインデータ処理機と、からなることを特徴とする。【選択図】　　　図１
2004078723.tif 000002
【特許請求の範囲】
【請求項１】
所定の場所に設置されている駅務機器で発生した所定の集計処理に必要なデータを記憶する、その場所に設置されたサブデータ処理機と、
前記サブデータ処理機に記憶されているデータを読取って所定の集計処理を行う、所定の中央に設けられたメインデータ処理機と、
からなることを特徴とする駅務機器管理システム。
【請求項２】
請求項１に記載の駅務機器管理システムにおいて、メインデータ処理機は所定の場所に設置されているサブデータ処理機と通信回線を介して接続されていることを特徴とする駅務機器管理システム。
【発明の詳細な説明】
【０００１】
【発明の属する技術分野】
本発明は自動券売機等の駅務機器の集計処理を効率よく行える駅務機器管理システムに関する。
【０００２】
【従来の技術】
従来、この種の駅務機器管理システムは、自動券売機等の駅務機器は駅務機器制御装置、いわゆる駅制とよばれるデータ集計機により売上等のデータが集収されるように構成されている。図３は、この従来の駅務機器管理システムの概略構成図である。図中、ａ１　，ａ２　…は、甲駅及び乙駅にそれぞれ設置されている駅務機器であって、ここでは自動券売機の例が示されている。
【０００３】
各駅の構成は同一なので、甲駅を例に説明すると、甲駅に設置されている自動券売機ａ１　，ａ２　…及び図示しない自動精算機や自動定期券発売機、あるいは自動改札機等の他の駅務機器は、通信回線Ｌ１０を介して駅制からなるデータ集計機１０に接続されている。
【０００４】
データ集計機１０は、マイクロコンピュータ（マイコン）を中心に形成されていて、所定の時刻到来時毎に、つまり、周期的に、具体的には、午後３時等の毎日の所定の集計時に各駅務機器は（ａ１　，ａ２　…）に記憶されている売上データや通過人数等の所定のデータを、順次、通信回線Ｌ１０を介して読取って集計処理を行うように構成されている。
【０００５】
このデータ集計機１０で集計処理されたデータは、通信回線Ｌ２０を介して鉄道会社の本社等の所定の中央に設けられたホストコンピュータからなるデータ管理サーバ２０に送出されて甲駅、乙駅及び図示しない他の駅の売上等が一元的に管理できるように構成されている。
【０００６】
【発明が解決しようとする課題】
しかしながら、上記従来の駅務機器管理システムは、駅制からなるデータ集計機が周期的に各駅駅務機器からデータを順次読取るようにしているので、大型駅のように多数の駅務機器が設置されているとデータ収集に多くの時間を必要とする欠点があった。また、データ収集時刻到来までの間に駅務機器に記憶されているデータが何らかの理由により消失したときは、データ収集ができなくなるという不都合があった。さらに、従来のデータ集計機は、各駅務機器からのデータを合算して集計処理してしまうので、各駅務機器毎の詳細なデータが得られないという欠点があった。
【０００７】
そこで、本発明は、上記欠点を解決するためになされたものであって、その目的は、中央において効果的に各駅のデータを収集することのできる駅務機器管理システムを提供することにある。
【０００８】
【課題を解決するための手段】
本発明に係る駅務機器管理システムは、上記目的を達成するために、請求項１に記載の発明は、所定の場所に設置されている駅務機器で発生した所定の集計処理に必要なデータを記憶する、その場所に設置されたサブデータ処理機と、そのサブデータ処理機に記憶されているデータを読取って所定の集計処理を行う、所定の中央に設けられたメインデータ処理機と、からなることを特徴としている。本発明の請求項２に記載の駅務機器管理システムは、メインデータ処理機は所定の場所に設置されているサブデータ処理機と通信回線を介して接続されていることを特徴とするしている。
【０００９】
【発明の実施の形態】
以下、本発明の実施の形態を図面に基づいて説明する。図１は、一実施の形態に係る駅務機器管理システムの概略構成図である。図中、ａ１　，ａ２　…は、甲駅及び乙駅にそれぞれ設置されている駅務機器であって、ここでは自動券売機の例が示されている。
【００１０】
各駅の構成は同一なので、甲駅を例に説明すると、甲駅に設置されている自動券売機ａ１　，ａ２　…及び図示しない自動精算機や自動定期券発売機、あるいは自動改札機等の他の駅務機器は、通信回線Ｌ１　，Ｌ１　…を介してサブデータ処理機１に接続されている。
【００１１】
このサブデータ処理機１は、図示しないが通信制御部と記憶部とから構成されていて、甲駅に設置されている各駅務機器で発生したデータの内、所定の集計処理に必要なデータの発生の都度、記憶部に記憶できるように構成されている。例えば、駅務機器が自動券売機ａ１　，ａ２　の場合は、乗車券を発行する毎にその売上データがサブデータ処理機１の記憶部の所定のエリアに記憶され、駅務機器が自動改札機の場合は、一人の利用者（旅客）の入出場処理毎にその通過人数のデータがサブデータ処理機１の記憶部の所定エリアに記憶されるように構成されている。なお、このサブデータ処理機１は、各駅毎に設けてもよく、数駅で１つのサブデータ処理機を持つようにしてもよい。この場合、サブデータ処理機１は、その数駅のうちのいずれかの駅又は駅でない所の所定の場所に設けられる。
【００１２】
このサブデータ処理機１は、通信回線Ｌ２　を介して鉄道会社の本社等の所定の中央に設けられたホストコンピュータからなるメインデータ処理機２に接続されている。このメインデータ処理機２には、甲駅及び乙駅にそれぞれ設置されているサブデータ処理機１，１以外に、図示しない他の駅に設置されているサブデータ処理機も接続されている。このメインデータ処理機２は、各駅の集計データを収集して鉄道会社全体の駅務機器を一元的に管理できるように構成されている。
【００１３】
以下、図２のフローチャートを用いてデータ集計制御動作を説明する。今、各駅（以下、甲駅で説明する。）において、その甲駅に設置されている自動券売機ａ１　，ａ２　…及び図示しない自動改札機等の他の駅務機器において集計処理に必要なデータ（自動券売機においては売上データ、自動改札機においては通過データ）が発生したとする（ステップ１００肯定。以下、ステップを「Ｓ」とする。）各駅務機器において発生した売上データ、通過人数データ等は、通信回線Ｌ１　，Ｌ１　…を介してその発生する都度サブデータ処理機１の記憶部に記憶される（Ｓ１０２）。この記憶されるデータは、駅名、駅務機器の種類、駅務機器の号機等の集計処理に必要なデータを付加して記憶される。なお、このサブデータ処理機１に記憶されるデータは、上述のように逐次記憶する以外に、定期的に記憶することもできる。
【００１４】
中央に設けられたメインデータ処理機２は、周期的に、具体的には、毎日の所定の集計処理時刻（例えば午後３時）が到来すると（Ｓ２００肯定）、甲駅のサブデータ処理機１に記憶されているデータが通信回線Ｌ２　を介して収集される（Ｓ２０２）。なお、このサブデータ処理機１からのデータ収集は、上述のように定期的ではなく逐次行うこともできる。メインデータ処理機２では、甲駅のサブデータ処理機１から得たデータを基に甲駅の売上や通過人数等の所定の集計処理を行うことができる（Ｓ２０４）。このメインデータ処理機２では、各駅の駅務機器毎のように詳細なデータ集計の他に、その詳細データを基にその駅全体としてのデータ集計を行うなどのきめ細かな集計処理が行われる。なお、本発明では、メインデータ処理機２のデータ収集を「サブデータ処理機に記憶されているデータを読取る」としている。
【００１５】
中央のメインデータ処理機２では、乙駅及び図示しない駅の集計処理も上述の甲駅の集計処理と同様に行われる。したがって、メインデータ処理機２では、各駅のデータ集計を基に会社全体としての各種の集計処理、例えば会社全体の自動券売機の売上集計処理等の集計処理が行われる。
【００１６】
なお、上述の説明は、サブデータ処理機１とメインデータ処理機２とを別々のハード構成としたが、これらを１つの場所に設置された１つの処理機で構成してもよい。この場合は、その１つの処理機の中にサブデータ処理機１の部分とメインデータ処理機２の部分を持つようにしてもよく、または、一つの処理機にサブデータ処理機及びメインデータ処理機の両機能を持たせたものでもよい。本発明は、このように、１つの処理機とした場合も含んでいる。
【００１７】
【発明の効果】
本発明の請求項１に記載の駅務機器管理システムは、所定の場所に設置されている駅務機器で発生した所定の集計処理に必要なデータを記憶する、その場所に設置されたサブデータ処理機と、そのサブデータ処理機に記憶されているデータを読取って所定の集計処理を行う、所定の中央に設けられたメインデータ処理機とからなるので、中央において一元的にきめ細かな集計処理を行うことができる。
本発明の請求項２に記載の駅務機器管理システムは、メインデータ処理機は所定の場所に設置されているサブデータ処理機と通信回線を介して接続されているので、効率よく集計処理を行うことができる。
【図面の簡単な説明】
【図１】本発明の一実施の形態に係る駅務機器管理システムの概略構成図である。
【図２】制御動作を示すフローチャートである。
【図３】従来の駅務機器管理システムの概略構成図である。
【符号の説明】
ａ１　，ａ２　…　自動券売機（駅務機器）
１　サブデータ処理機
２　メインデータ処理機
Ｌ１　，Ｌ２　　通信回線
【図１】
2004078723.tif 000003
【図２】
2004078723.tif 000004
【図３】
2004078723.tif 000005